(57)【特許請求の範囲】
【請求項１】
コンセント・プラグ配管方式により室内に設置した放熱器等へ熱源機の温水を循環供給する温水暖房装置において、前記放熱器とプラグとの間の温水配管及び信号線には、その周囲を覆うように保護チューブを備え、前記保護チューブは、その長手方向の全域で、かつ周方向に凹凸部の深さにより空気層を形成して断熱する凹部と凸部をそれぞれ交互に配列するとともに、屈曲、ひねり等、設置時に加わる機械的ストレスを吸収するための切り目の吸収手段を、前記凹部と凸部を横切って前記長手方向の全域に有する構成とした温水暖房装置。
【請求項２】
保護チューブは、円周形状を略楕円形状とし、長手方向のどちらか一方の略中央部に切り目を有する構成とした請求項１記載の温水暖房装置。
【発明の詳細な説明】
【０００１】
【発明の属する技術分野】
本発明は、熱源機の温水をコンセント・プラグ配管方式により室内機へ循環供給する温水暖房装置に関するものである。
【０００２】
【従来の技術】
従来、この種の温水暖房装置としては、例えば、実開平２−８７３８６号公報に開示されたものがある。この従来構造の温水暖房装置は、熱源機の温水配管の端部にコンセントを設け、このコンセントを家屋の壁に組み込む一方、室内に設置した放熱器の温水配管の端部にプラグを設け、このプラグを前記したコンセントに着脱自在に接続することにより、熱源機の温水をコンセント・プラグ配管方式により放熱器へ循環供給するようにしていた。また、前記温水配管には放熱器より熱源機の運転を制御するための信号線が一体化して設けられており、温水配管とともにコンセント・プラグを介して熱源機に接続されていた。
【０００３】
【発明が解決しようとする課題】
しかしながら、上記従来構造の温水暖房装置では、放熱器とプラグとの間の温水配管はゴム製のペアチューブが使用されており、断熱及び所望の強度を得るために肉厚を熱くする必要があった。このため、内径寸法に対して外径寸法が必要以上に大きくなり、放熱器との接続部において大きな段差が生じ、接続部の処理がすっきりと行えないばかりでなく、例えば、温水床暖房マットを放熱器として使用した場合には、マットの厚さよりも温水配管の接続部分の外径が大きくなり、マットを安定的に敷設できない等の問題点があった。さらに、外径寸法を必要以上に大きくしているため、曲げ方向、ひねり方向に対して強度を有する構造となっており、設置工事において所望の配管形態を確保することが困難となり美観的にも望ましいものとはいえなかった。
【０００４】
そこで、ペアチューブの材質を軟質架橋ポリエチレン等に変更して強度の改善を図り、肉厚を薄くして使用するものもあるが、断熱性能を併せて確保するというものではなく、ペアチューブの材質を変更したものにおいても、その周囲を樹脂製の断熱用保護チューブで覆うという構成を採用していた。このような構成のものは、接続部の処理はすっきりさせることができるが、保護チューブは断熱効果、機械的強度を高めるため比較的硬質の材料を用いるため、曲げ、ひねり作業を伴う設置工事においては、従来と同様に所望の配管形態を確保するということが困難なものであった。
【０００５】
本発明は、上記従来の課題に鑑みてなされたものであり、ペアチューブと保護チューブで構成する温水配管において、保護チューブに曲げ、ひねりを吸収する吸収手段を設けることで、従来の課題を解決できるようにすることを目的としている。
【０００６】
【課題を解決するための手段】
本発明は上記課題を解決するために、コンセント・プラグ配管方式により室内に設置した放熱器等へ熱源機の温水を循環供給する温水暖房装置において、前記放熱器とプラグとの間の温水配管及び信号線には、その周囲を覆うように保護チューブを備え、前記保護チューブは、その長手方向の全域で、かつ周方向に凹凸部の深さにより空気層を形成して断熱する凹部と凸部をそれぞれ交互に配列するとともに、屈曲、ひねり等、設置時に加わる機械的ストレスを吸収するための切り目の吸収手段を、前記凹部と凸部を横切って前記長手方向の全域に有する構成としている。
【０００７】
上記発明によれば、放熱器とプラグとの間の温水配管及び信号線には、屈曲やひねり時に生じる膨張、収縮を吸収する吸収手段を有する保護チューブで覆うようにしているため、温水配管に薄肉のペアチューブを用いたとしても、衝撃等の機械的ストレスから保護でき、かつ設置工事において屈曲、ひねり等の配管形態を採ったとしても容易に所望の配管形態を確保することができ、工事の見栄えを向上させることができるとともに、人が触る保護チューブ表面の温度を低下させることができ、温水配管からの熱を断熱することができる。
【０００８】
【発明の実施の形態】
請求項１の温水暖房装置は、コンセント・プラグ配管方式により室内に設置した放熱器等へ熱源機の温水を循環供給する温水暖房装置において、前記放熱器とプラグとの間の温水配管及び信号線には、その周囲を覆うように保護チューブを備え、前記保護チューブは、その長手方向の全域で、かつ周方向に凹凸部の深さにより空気層を形成して断熱する凹部と凸部をそれぞれ交互に配列するとともに、屈曲、ひねり等、設置時に加わる機械的ストレスを吸収するための切り目の吸収手段を、前記凹部と凸部を横切って前記長手方向の全域に有する構成としている。
【０００９】
そして、放熱器とプラグとの間の温水配管及び信号線には、屈曲やひねり時に生じる膨張、収縮を吸収する吸収手段を有する保護チューブで覆うようにしているため、温水配管に薄肉のペアチューブを用いたとしても、衝撃等の機械的ストレスから保護でき、かつ設置工事において屈曲、ひねり等の配管形態を採ったとしても容易に所望の配管形態を確保することができ、工事の見栄えを向上させることができるとともに、人が触る保護チューブ表面の温度を低下させることができ、温水配管からの熱を断熱することができる。
【００１０】
また、請求項２の温水暖房装置は、保護チューブは、円周形状を略楕円形状とし、長手方向のどちらか一方の略中央部に切り目を有する構成としている。
【００１１】
そして、保護チューブに切り目を設けるという簡単な構成で、温水配管の屈曲、ひねり時に生じる膨張、収縮を吸収し、所望の配管形態を確保して見栄えの良い設置工事を行うことができる。
【００１２】
【実施例】
以下本発明の一実施例について図面に基づいて説明する。
【００１３】
図１は本発明の一実施例の温水暖房装置の構成図である。また図２は温水配管の細部詳細図である。
【００１４】
図１において、１は屋外に設置した石油ボイラなどの熱源機であり、この熱源機１の往復温水配管１ａ、１ｂ及び信号線１ｃの端部には温水コンセント２が設けられ、この温水コンセント２は家屋の壁３を貫通し、屋内壁面に接続部を臨ませるように組み込まれている。４は屋内の床５の上に設置した放熱器であり、この放熱器４の往復温水配管４ａ、４ｂ及び信号線４ｃの端部には、前記温水コンセント２に着脱自在に接続される温水プラグ６を設けている。前記熱源機１は放熱器４の信号線４ｃと接続された信号線１ｃにより運転信号が供給され、所定のシーケンスで沸き上げ運転が行われ所望の温水が得られる。
【００１５】
この温水は熱源機１に内蔵された循環ポンプ（図示せず）により前記往復温水配管１ａ、１ｂ、温水コンセント２、温水プラグ６及び往復温水配管４ａ、４ｂを介して放熱器４に循環供給され、この温水の熱を放熱器４に内蔵したファン（図示せず）により室内に放熱して暖房を行うものである。
【００１６】
このように、往復温水配管１ａ、１ｂ及び４ａ、４ｂには高温の温水が循環供給されており、特に、室内の往復温水配管４ａ、４ｂは人が触る機会があり、ゴム製のペアチューブ等で配管する場合は火傷等の危険を伴う恐れがある。よって、前記ペアチューブを覆うように保護チューブ７を設け断熱を行っている。この断熱効果を得ようとする場合、一般的には断熱材を厚くするか、特殊な材料を用いて熱伝導を悪くするという方法が採られているが、本発明は、図２に示すように保護チューブ７の長手方向の全域で、かつ円周方向に凹部７ｂと凸部７ａをそれぞれ交互に配列し、凹凸部の深さにより空気層を形成して断熱するようにしている。
【００１７】
また、保護チューブ７は円周形状を略楕円形状として図１及び図２に示すように保護チューブ７の全域で、かつ円周方向の適所に切り目８を、図２に示すように凹部７ｂと凸部７ａを横切って設け、温水配管４ａ、４ｂを屈曲させたり、ひねったりしたときに生じる部分的な膨張、収縮を吸収する吸収手段としている。つまり、放熱器４を室内に設置した後、温水配管４ａ、４ｂを壁３、床５の表面に這わせて配管をするとき、温水プラグ６との位置関係において数回の曲げ、ひねり作業を伴う。このとき、配管形態を見栄えのよいものにするためには、曲げ、ひねり角度は少しでも小さい方がよい。しかしながら、断熱や機械的ストレスを保護するために用いられる温水配管用の保護チューブは比較的硬い材料が用いられるため、曲げ、ひねり作業時の角度を小さくするということは極めて困難なものであった。
【００１８】
そこで、本発明は保護チューブ７の全域において円周方向の適所に図２に示すように凹部７ｂと凸部７ａを横切って切り目８を設けた構成とし、切り目８を境に材料が自在に動くようにして、曲げ、ひねり作業時に生じる膨張、収縮を吸収するようにしている。このため、比較的小さな角度でも所望の配管形態を確保することができ、見栄えのよい設置工事を提供することができるものである。
【００１９】
このように、往復温水配管４ａ、４ｂを覆う保護チューブ７に交互に凹凸部７ａ、７ｂを設け、かつ円周方向の適所に切り目８を設けた構成としているため、断熱や機械的ストレスの保護が容易に確保でき、往復温水配管４ａ、４ｂも内径寸法に対して外径寸法を必要以上に大きくする必要がなく、放熱器４との接続部の処理をスッキリさせることができる。
【００２０】
なお、本実施例では放熱器４としてファンコンベクタを使用したが、ファンコンベクタに限定されるものではなく、温水床暖房マットであってもよい。
【００２１】
【発明の効果】
以上説明したように、請求項１の温水暖房装置によれば、放熱器とプラグとの間の温水配管及び信号線には、保護チューブの長手方向の全域で、かつ周方向に凹凸部の深さにより空気層を形成して断熱する凹部と凸部をそれぞれ交互に配列するとともに、屈曲、ひねり等、設置時に加わる機械的ストレスを吸収するための切り目の吸収手段を、前記凹部と凸部を横切って前記長手方向の全域に有する保護チューブで覆うようにしているため、温水配管に薄肉のペアチューブを用いたとしても、衝撃等の機械的ストレスから保護でき、かつ設置工事において屈曲、ひねり等の配管形態を採ったとしても容易に所望の配管形態を確保することができ、工事の見栄えを向上させることができるとともに、温水配管からの熱を断熱することができる。
【００２２】
また、請求項２の温水暖房装置によれば、保護チューブに切り目を設けるという簡単な構成で、温水配管の屈曲、ひねり時に生じる膨張、収縮を吸収し、所望の配管形態を確保して見栄えの良い設置工事を行うことができる。
【図面の簡単な説明】
【図１】  本発明の一実施例における温水暖房装置の構成図
【図２】  同装置の温水配管の細部詳細図
【符号の説明】
１  熱源機
２  温水コンセント
３  壁
４  放熱器
４ａ  温水配管
４ｂ  温水配管
４ｃ  信号線
６  温水プラグ
７  保護チューブ
８  切れ目（吸収手段）
【図１】
0004066551.tif 000002
【図２】
0004066551.tif 000003